(57)【要約】【課題】優れた靴ずれ防止効果を奏するとともに、使用に際しての取り扱いが容易な靴ずれ防止具の提供。【解決手段】上記靴ずれ防止具２は、第１袋体４と、この第１袋体４の内部に収納された支持板８とを備えており、上記第１袋体４が、滑性及び柔軟性を有する合成樹脂フィルム、織布及び不織布の少なくとも一つから形成されており、上記支持板８が弾力性を有している。上記支持板８が、滑性及び柔軟性を有する第２袋体６の内部に収納された状態で、上記第１袋体４の内部に収納されているのが好ましい。【選択図】図１
2016154594.tif 000002
【特許請求の範囲】
【請求項１】
第１袋体と、
この第１袋体の内部に収納された支持板とを備えており、
上記第１袋体が、滑性及び柔軟性を有する合成樹脂フィルム、織布及び不織布の少なくとも一つから形成されており、
上記支持板が弾力性を有している靴ずれ防止具。
【請求項２】
上記第１袋体の内部が、第１空間と第２空間とに仕切られており、
この第１空間に、上記支持板が収納されており、
上記第２空間に、柔軟なクッション材が収納されている請求項１に記載の靴ずれ防止具。
【請求項３】
上記第１袋体が、外部に対して密封された状態にされており、
この第１袋体の内部に、上記支持板が占める空間以外に、余剰の空間が形成されている請求項１又は２に記載の靴ずれ防止具。
【請求項４】
上記支持板が、第２袋体の内部に収納された状態で、上記第１袋体の内部に収納されており、
この第２袋体が、滑性及び柔軟性を有する合成樹脂フィルム、織布及び不織布の少なくとも一つから形成されている請求項１から３のいずれかに記載の靴ずれ防止具。
【請求項５】
上記支持板が、段ボール紙から形成されている請求項１から４のいずれかに記載の靴ずれ防止具。
【発明の詳細な説明】
【技術分野】
【０００１】
本発明は、靴ずれ防止具に関する。
【背景技術】
【０００２】
新しい靴を履くと、主に足の踵やアキレス腱近傍に靴ずれが生じることがある。靴ずれが生じると、激しい痛みに襲われ、歩行が困難になることがある。この靴ずれは、歩行時に、足の踵の後部と、靴の踵部の内面との摩擦によって生じる。このような靴ずれを防止するために、踵と靴の内面との摩擦を軽減する、靴ずれの防止用具が提案されている。
【０００３】
例えば、特開２００２−３６９８３６公報には、靴擦れ防止用の当て材が開示されている。この当て材は、使用者の足の踵に貼着される。当て材は、当て材主体と滑り片とを備えている。当て材主体と滑り片とは、互いに固着されている。当て材主体が使用者の足の踵に貼着される。滑り片は、当て材主体と靴の踵部内面との間に介在する。
【０００４】
当て材主体はパッドを有している。滑り片は、扁平な環形状（ループ状）に形成されたフィルムからなる。このフィルムは滑性と柔軟性とを有している。
【０００５】
この当て材は、使用に際して、上記滑り片のループが上下方向となるように、足の踵に貼着される。そうすると、使用者の歩行時に、滑り片があたかもキャタピラーが前後動を繰り返すように動き、滑性を有する滑り片同士が擦れ合うので、実質的に摩擦に対して縁切り状態となる、とのことである。
【０００６】
上記公報に開示された靴擦れ防止用の当て材では、使用者の歩行中に、踵から剥がれてしまうおそれがある。この当て材は、踵から剥がれると、期待する作用を奏し得なくなる可能性が高い。また、使用者が入浴すると、貼着されていた当て材は再度の使用は困難となる。また、滑り片を構成するフィルムは、キャタピラーの前後動と同様の動きをする保証はない。
【先行技術文献】
【特許文献】
【０００７】
【特許文献１】特開２００２−３６９８３６公報
【発明の概要】
【発明が解決しようとする課題】
【０００８】
本発明は、前述した現状に鑑みてなされたものであり、優れた靴ずれ防止効果を奏するとともに、使用に際しての取り扱いが容易であり、複数回の使用が可能な靴ずれ防止具を提供することを目的としている。
【課題を解決するための手段】
【０００９】
本発明に係る靴ずれ防止具は、
第１袋体と、
この第１袋体の内部に収納された支持板とを備えており、
上記第１袋体が、滑性及び柔軟性を有する合成樹脂フィルム、織布及び不織布の少なくとも一つから形成されており、
上記支持板が弾力性を有している。
【００１０】
好ましくは、上記第１袋体の内部が、第１空間と第２空間とに仕切られており、
この第１空間に、上記支持板が収納されており、
上記第２空間に、柔軟なクッション材が収納されている。
【００１１】
好ましくは、上記第１袋体が、外部に対して密封された状態にされており、この第１袋体の内部に、上記支持板が占める空間以外に、余剰の空間が形成されている。
【００１２】
好ましくは、上記支持板が、第２袋体の内部に収納された状態で、上記第１袋体の内部に収納されており、
この第２袋体が、滑性及び柔軟性を有する合成樹脂フィルム、織布及び不織布の少なくとも一つから形成されている。
【００１３】
好ましくは、上記支持板が、段ボール紙から形成されている。
【発明の効果】
【００１４】
本発明に係る靴ずれ防止具は、優れた靴ずれ防止効果を奏するとともに、使用に際しての取り扱いが容易であり、複数回の使用が可能である。
【図面の簡単な説明】
【００１５】
【図１】図１（ａ）は、本発明の一実施形態に係る靴ずれ防止具を示す一部切り欠き斜視図であり、図１（ｂ）は図１（ａ）のＩ−Ｉ線に沿った断面図である。
【図２】図２は、図１の靴ずれ防止具を靴の内部に装着する方法の一例を示す斜視図である。
【図３】図３は、図１の靴ずれ防止具が靴の内部に装着された状態を示す一部断面側面図である。
【図４】図４（ａ）は、他の靴ずれ防止具を示す断面図であり、図４（ｂ）は、さらに他の靴ずれ防止具を示す断面図であり、図４（ｃ）は、さらに他の靴ずれ防止具を示す断面図である。
【発明を実施するための形態】
【００１６】
以下、適宜図面が参照されつつ、好ましい実施形態に基づいて本発明が詳細に説明される。
【００１７】
図１には、本発明の一実施形態に係る靴ずれ防止具２が示されている。ここでは、図１における上下方向を、靴ずれ防止具２の上下方向又は縦方向と呼び、図１における左右方向を、靴ずれ防止具２の左右方向又は横方向と呼ぶ。
【００１８】
この靴ずれ防止具２は、第１袋体４と、第２袋体６と、支持板８と、クッション材１０とを備えている。第２袋体６は、第１袋体４の内部に収納されている。従って、第１袋体４を外側袋体４ともいう。第２袋体６を内側袋体６ともいう。支持板８は、内側袋体６の内部に収納されている。支持板８は、靴ずれ防止具２の形状及び姿勢が大きく変化することを防止する作用を奏する。支持板８は、使用者の足に対するクッション作用を奏しうる。支持板８は、靴に対する使用者の足の相対的上下動をガイドする作用も奏しうる。本実施形態では、外側袋体４及び内側袋体６のいずれもが、脱気して平面状にされたとき、矩形を呈する。支持板８及びクッション材１０も矩形を呈している。しかし、これら４、６、８、１０は、かかる形状には限定されない。例えば、使用する靴の形状に適合させるように変更可能である。
【００１９】
外側袋体４及び内側袋体６はともに、合成樹脂フィルム、織布及び不織布のうちの少なくともいずれかから形成されている。合成樹脂フィルムの場合、その物性は、引張強さが２０ＭＰａ以上２４０ＭＰａ以下、引張伸びが５％以上７００％以下、ヤング率が２００ＭＰａ以上４０００ＭＰａ以下にされるのが好ましい。引張強さ及び引張伸びの測定方法はＪＩＳ  Ｃ２１５１に準じ、ヤング率の測定方法はＡＳＴＭ  Ｄ８８２に準じる。この合成樹脂フィルム及び不織布の材質としては、典型的には、ポリエチレン、ポリプロピレン、ポリエステル、ナイロン等、及び、これらのうちの少なくとも２つを混合したものが採用されうる。また、織布の場合、その材質としては、銅アンモニアレーヨン、ビスコースレーヨン等からなる再生繊維、ナイロン、アクリル、ポリエステル等からなる合成繊維、絹、羊毛等からなる自然繊維等が採用されうる。これら袋体４、６の材料の厚さは、０．００６ｍｍ以上０．６ｍｍ以下の範囲から選択するのが好ましい。袋体４、６が織布や不織布から形成されている場合であっても、その摩擦係数は小さい。合成樹脂フィルムの場合は、摩擦係数はさらに小さくなる。袋体４、６は、滑性及び柔軟性（可撓性）を有している。合成樹脂フィルム製の袋体４、６は、さらに滑性及び柔軟性に優れている。この袋体４、６同士が擦れ合うとき、その摩擦は大変小さいものとなる。合成樹脂フィルムの場合、透明であるのが好ましい。袋体４、６の内部の部材の状態を目視で容易に確認しうるからである。
【００２０】
外側袋体４は、適量の空気が注入されたうえで、外部に対して密封された状態にされているのが好ましい。すなわち、外側袋体４には、通気孔が存在しないのが好ましい。この観点からは、外側袋体４は、合成樹脂フィルムから形成されているのが好ましい。外側袋体４の内部に適量の空気が封入されていれば、内側袋体６に収納された状態の支持板８が動きやすい。内外の袋体４、６同士が滑りやすくなり、摩擦がより低減する。内側袋体６は、密封状態に形成されてもよく、通気可能に形成されてもよい。
【００２１】
本実施形態では、支持板８として段ボール紙が採用されている。段ボール紙は、適度な弾力性を有する。段ボール紙は、靴ずれ防止具２の形状及び姿勢を保持しうるだけの適度な剛性を有する。この靴ずれ防止具２は、靴べらによる取り扱いが容易となる。段ボール紙は、内側袋体６の内部において、その細長い空洞部を形成する段部１８が上下方向に延びる姿勢にされているのが好ましい。使用者の足が靴に対して上下動する際、この段部１８が、抵抗になることなく、足の上下動をスムーズにガイドしうるからである。支持板８として段ボール紙が好ましいが、適度な弾力性及び剛性を有する他の材料も選択しうる。
【００２２】
外側袋体４は、横方向に線状に延びる圧着部１２により、上下の二つの空間に分けられている。大きな下方の第１空間１４には、支持板８が収納された内側袋体６が収納されている。小さな上方の第２空間１６には、クッション材１０が収納されている。上記第１空間１４を下方空間１４とも呼び、第２空間１６を上方空間１６とも呼ぶ。下方空間１４は、内側袋体６に収納された支持板８が、自在に移動できる大きさを有している。特に上下方向には、支持板８にとって５ｍｍから２０ｍｍ程度の移動可能スペース（遊び）があるのが好ましい。上記圧着部１２は、断続線であってもよく連続線であってもよい。換言すれば、外側袋体４が合成樹脂フィルム製である場合、圧着部１２には、通気部が有ってもよく無くてもよい。すなわち、下方空間１４と上方空間１６とは、相互に通気性が有ってもよく無くてもよい。圧着部１２の形成に代えて、クッション材１０の装入位置と、支持板８の装入位置との間の外側袋体４の幅を、クッション材１０の長さより狭くしてもよい。すなわち、外側袋体４に、クッション材が通過しにくいくびれを形成してもよい。
【００２３】
上記クッション材１０は、横方向に長い帯状を呈している。靴ずれ防止具２が靴に装着されたとき、クッション材１０は、靴の踵部の上端縁に沿う位置となることが求められる。靴ずれ防止効果の向上のためである。クッション材１０は柔軟である。このクッション材１０としては、綿、不織布、スポンジ、汎用合成樹脂（ポリエチレン、ポリプロピレン等）から形成された緩衝材等が採用されうる。クッション材１０は、いかなる包装もされずに上方空間１６に収納されているが、かかる構成には限定されない。クッション材１０は、合成樹脂フィルム等から形成された別の袋体に収納されたうえで、上方空間１６に収納されてもよい。また、クッション材１０は、上方空間１６内に固着されていてもよい。
【００２４】
図２には、靴ずれ防止具２を靴２０の内側へ装着する要領が示されている。図２で示される装着は、靴ずれ防止具２を靴２０に接着や係止によって固定するのではない。ここでいう装着は、図３に示されるように、使用者の足の踵２２の後端面と、靴２０の踵部の内面との間に挟圧されて保持されることをいう。靴ずれ防止具２は、足にも靴２０にも固着されていない。
【００２５】
図２に示されるように、使用者は、靴２０を履くとき、足の先を靴２０の内部に挿入する。次いで、使用者は、靴ずれ防止具２を、踵２２の後端面と靴べら２４との間に挟み込む。挟み込まれた靴ずれ防止具２の姿勢は、その上方空間１６が上方に位置し、下方空間１４が下方に位置している。この状態で、靴べら２４を通常通りに使用して靴２０を履く。すなわち、足を、靴ずれ防止具２と一体で靴べら２４の上を滑らせて、靴２０の中に挿入する。
【００２６】
以上の動作により、靴ずれ防止具２は、図３に示されるように、踵２２の後端面と、靴２０の踵部の内面との間に挟圧されてしっかりと保持される。このとき、クッション材１０は、足のアキレス腱部２６の下部と、靴２０の踵部の上端縁２８との間に位置する可能性が高い。支持板８は、踵２２の後端面と、靴２０の踵部の内面との間に位置する可能性が高い。このように、靴ずれ防止具２は、簡単に靴２０の中に装着されうる。また、通常の要領で靴を脱ぐだけで、靴ずれ防止具２を簡単に取り出すことができる。取り出された靴ずれ防止具２は、再度使用することができる。この靴ずれ防止具２は、繰り返して複数回の使用が可能である。
【００２７】
靴ずれ防止具２の装着時、靴べら２４を使用することには限定されない。靴べら２４を使用することなく、容易に履ける靴も存在する。このような場合、図示しないが、靴ずれ防止具２の圧着部１２の近傍を、圧着部１２に沿って折り曲げる。この靴ずれ防止具２を、支持板８が靴の内部に位置し、クッション材１０が靴の外部に位置する姿勢で、靴２０の踵部の上端縁２８に引っかける。手指でクッション材１０のあたりを軽く保持した状態で、足を靴の中に挿入する。そうすると、図３に示されるように、靴ずれ防止具２は、踵２２の後端面と、靴２０の踵部の内面との間に挟圧されて保持される。
【００２８】
この靴ずれ防止具２が靴２０の踵部に装着された状態で、使用者が歩行又は走行したとき、袋体４、６同士が擦れ合う。袋体４、６は滑性を有している。特に合成樹脂フィルム製の袋体４、６は十分な滑性を有している。袋体４、６同士の擦れ合いにおいては、生じる摩擦は大変小さい。袋体４、６同士の擦れ合いは、支持板８の足側と靴側の両方で起こりうる。その結果、摩擦低減の効果が向上する。従って、足の踵２２やアキレス腱部２６には、靴２０からの摩擦力が殆ど伝わらない。また、クッション材１０及び支持板８の弾力性により、足に対する靴２０からの圧力が緩和されうる。さらに、支持板８を構成する段ボール紙の多数の段部１８が上下方向に延在しているので、靴２０に対する足の上下動がスムーズにガイドされる。
【００２９】
図４（ａ）、図４（ｂ）及び図４（ｃ）にはそれぞれ、異なる構成の靴ずれ防止具３２、３４、３６が示されている。これらの靴ずれ防止具３２、３４、３６における、図１の靴ずれ防止具２と同一の構成部分には、同一の符号を付して、その説明が省略される。
【００３０】
図４（ａ）に示された靴ずれ防止具３２の、図１の靴ずれ防止具２と異なる点は、外側袋体３８に圧着部１２が形成されていない点である。換言すれば、外側袋体３８が上下の空間１４、１６に分離されていない点である。さらに、クッション材１０を備えていない点である。従って、外側袋体３８の内部には、支持板８が収納された内側袋体６が占める空間以外に、大きな余剰の空間４０が存在している。合成樹脂フィルム製の外側袋体３８の場合、この余剰空間４０には空気が封入されうる。この余剰空間４０はクッション性を具備しうる。図４（ａ）の靴ずれ防止具３２のその他の構成は、図１の靴ずれ防止具２のそれと同じである。この余剰空間４０内にクッション材１０を、固着状態又は非固着状態で装入してもよい。
【００３１】
この靴ずれ防止具３２では、外側袋体３８の内部空間が大きい。合成樹脂フィルム製の外側袋体３８の場合、その内部に空気を封入しうる。その結果、外側袋体３８の内部で、内側袋体６が大きく動きうる。すなわち、支持板８が動きやすい。さらに、この靴ずれ防止具３２が靴２０の内側に装着されたとき、踵２２が靴２０の内面に圧接することにより、外側袋体３８の内部の空気が上方に押しやられる。この上方の空気が、足のアキレス腱部２６の下部と靴２０の踵部の上端縁２８との間のクッションとなりうる。その他の作用効果は、図１の靴ずれ防止具２の作用効果と同等である。図１の靴ずれ防止具２が合成樹脂フィルム製であっても、その圧着部１２に通気部が形成されていれば、上記と同様に、外側袋体４の上部にエアクッションが形成されうる。この靴ずれ防止具３２の靴２０への装着要領は、前述した図１の靴ずれ防止具２の装着要領と同じである。
【００３２】
図４（ｂ）に示された靴ずれ防止具３４の、図４（ａ）の靴ずれ防止具３２と異なる点は、内側袋体４２の大きさが、支持板８よりもかなり大きく、外側袋体３８の大きさに近いことである。この内側袋体４２は、図４（ａ）の靴ずれ防止具３２の内側袋体６よりも大きい。この靴ずれ防止具３４では、前述した余剰の空間４０が、内側袋体４２の内部に形成されている。この靴ずれ防止具３４の、図４（ａ）の靴ずれ防止具３２と同一の構成部分には、同一の符号を付して、その説明が省略される。この靴ずれ防止具３４の作用効果は、図４（ａ）の靴ずれ防止具３２の作用効果と同等である。この靴ずれ防止具３４の靴２０への装着要領は、前述した図１の靴ずれ防止具２の装着要領と同じである。
【００３３】
図４（ｃ）に示された靴ずれ防止具３６の、図４（ｂ）の靴ずれ防止具３４と異なる点は、支持板４４の大きさが、図４（ｂ）の靴ずれ防止具３４の支持板８よりもかなり大きく、内側袋体４２の大きさに近いことである。この靴ずれ防止具３６の、図４（ｂ）の靴ずれ防止具３４と同一の構成部分には、同一の符号を付して、その説明が省略される。この靴ずれ防止具３６の作用効果は、図４（ａ）の靴ずれ防止具３２の作用効果と同等である。この靴ずれ防止具３６の靴２０への装着要領は、前述した図１の靴ずれ防止具２の装着要領と同じである。
【００３４】
前述したとおり、外側袋体、内側袋体、支持板及びクッション材の形状は、矩形には限定されない。これらは、例えば、真円形、長円形、三角形、等脚台形、五角形等でもよい。クッション材の外形は、円柱等でもよい。袋体が、例えば、二等辺三角形の場合、底辺が下側（靴底側）、頂角が上側（アキレス腱側）となるように、靴の内側に装着される。頂角側にクッション材が配置され、底辺側に支持板が配置される。この場合、支持板は等脚台形状に形成されてもよい。例えば、五角形の袋体の場合、その頂角側にクッション材が配置され、その下側に支持板が配置される。そして、頂角が上側となるように、靴の内側に装着される。この場合、支持板は矩形に形成されてもよい。例えば、等脚台形の袋体の場合、その狭い上底側にクッション材が配置され、その下側の広い部分に支持板が配置される。そして、上底が上側となるように、靴の内側に装着される。この場合、支持板は等脚台形状に形成されてもよい。これらの形状の靴ずれ防止具は、その上部が小さくなっている。従って、靴に装着されたときに、靴の上端からわずかにはみ出しても目立ちにくい。一方、下方が幅広となっているので、使用時に、靴の内部で左右に位置ずれしにくい。
【００３５】
以上説明された靴ずれ防止具２、３２、３４、３６は、いずれも、その支持板８、４４が、予め第２袋体（内側袋体）６、４２に収納されたうえで、第１袋体（外側袋体）４、３８に収納されている。しかし、本発明はこのような構成には限定されない。支持板８、４４は、内側袋体６、４２に収納されることなく、裸の状態で外側袋体４、３８に収納されてもよい。例えば、図１及び図４における靴ずれ防止具２、３２、３４、３６から、内側袋体６、４２を取り除いたものであってもよい。かかる靴ずれ防止具であっても、支持板８、４４が介在した状態ではあるが、外側袋体４、３８同士が擦れ合う。足と靴との間の摩擦低減効果が奏される。しかし、前述したように、内側袋体と外側袋体との両方を備えた靴ずれ防止具２、３２、３４、３６では、滑性の高い袋体同士の擦れ合いが、支持板の足側と靴側の両方で起こりうる。この作用により、歩行時の足と靴との摩擦低減効果が大きく向上する。従って、支持板は内側袋体に収納されているのが好ましい。
【００３６】
袋体は、外側袋体４、３８だけの一重、又は、外側袋体４、３８と内側袋体６、４２との二重には限定されない。袋体は、三重以上であってもよい。この場合、摩擦低減の観点から、少なくとも二重は合成樹脂フィルムから形成されるのが好ましい。最も外側の袋体を織布又は不織布から形成すると、外力による損傷が抑制されうる。合成樹脂からなる袋体を二重以上に形成する場合は、同時に加熱切断及び圧着することにより行ってもよい。
【００３７】
以上の靴ずれ防止具２、３２、３４、３６はいずれも、足の踵２２からアキレス腱部２６の下部までをカバーしうる長さを有するのが好ましい。しかし、靴の形状や構造に応じて、靴ずれ防止具の上下方向の長さの変更は可能である。必要があれば、上下方向の長さは、踵部の内面の下端から上端まで至らなくてもよい。例えば、図４（ｃ）の靴ずれ防止具３６の上下方向の長さは、踵部の内面の下端から上端まで至らなくてもよい。また、支持板８、４４が収納された内側袋体６、４２の内部には特に余剰空間は必要とされない。
【００３８】
以上説明された靴ずれ防止具２、３２、３４、３６はいずれも、足と靴の内面とで挟圧されて保持される。しかし、かかる装着方法には限定されない。例えば、靴ずれ防止具２、３２、３４、３６を、靴の踵部の内面に接着することによって装着してもよい。このために、例えば、靴ずれ防止具２、３２、３４、３６の片面の少なくとも一部に、接着剤、いわゆる両面接着テープ等の使用によって接着層を形成してもよい。
【産業上の利用可能性】
【００３９】
本発明に係る靴ずれ防止具は、製造が容易であり且つそのコストが低い。
【符号の説明】
【００４０】
２、３２、
３４、３６・・・靴ずれ防止具
４、３８・・・外側袋体（第１袋体）
６、４２・・・内側袋体（第２袋体）
８、４４・・・支持板
１０・・・クッション材
１２・・・圧着部
１４・・・下方空間
１６・・・上方空間
１８・・・（段ボール紙の）段部
２０・・・靴
２２・・・（足の）踵
２４・・・靴べら
２６・・・（足の）アキレス腱部
２８・・・（靴の踵部の）上端縁
４０・・・余剰空間
【図１】
2016154594.tif 000003
【図２】
2016154594.tif 000004
【図３】
2016154594.tif 000005
【図４】
2016154594.tif 000006